(57)【要約】【課題】歯磨き中に口内から飛散する飛沫を効率よく捕捉でき、且つ使い勝手がよい歯ブラシ保持具及び飛沫吸着部材を提供する。【解決手段】飛沫吸着部材２と握り部材１１とからなる歯ブラシ保持具１であり、その飛沫吸着部材２は、人の口を覆い得る大きさを有し、少なくとも使用時に人の口と対向する側の面２１が吸水性又は保水性を有する材料からなり、中央部に開口２２を有する。握り部材１１は、一端部に、飛沫吸着部材２の開口２２に嵌挿させて該飛沫吸着部材を着脱可能に保持する飛沫吸着部材保持部１２を備えると共に、歯ブラシ３の柄３１を挿通可能であり、軟性樹脂等の柔軟な材料で筒状に形成されている。飛沫吸着部材２の中央部に、開口２２に代えて切込み又はミシン目による開口容易形成部を設けてもよい。【選択図】図２
0003233730.tif 000002
【実用新案登録請求の範囲】
【請求項１】
人の口を覆い得る大きさを有し、少なくとも使用時に前記人の口と対向する側の面が吸水性又は保水性を有する材料からなり、中央部に開口、あるいは切込み又はミシン目による開口容易形成部を有する飛沫吸着部材と、
一端部に、前記飛沫吸着部材の前記開口に又は前記開口容易形成部を開いて嵌挿させ、該飛沫吸着部材を着脱可能に保持する飛沫吸着部材保持部を備えると共に、歯ブラシの柄を挿通可能で柔軟な筒状の握り部材とからなることを特徴とする歯ブラシ保持具。
【請求項２】
請求項１に記載の歯ブラシ保持具であって、前記飛沫吸着部材は、少なくとも使用時に前記人の口と対向する側の面が吸水性を有する紙、不織布、布、薄板、あるいは前記面に粗面加工が施された樹脂シート等の保水性素材からなることを特徴とする歯ブラシ保持具。
【請求項３】
請求項１又は２に記載の歯ブラシ保持具であって、前記飛沫吸着部材保持部は、前記握り部材の前記一端部を形成する肩部と、該肩部の外周より小さい外周を有する中空突起と、該中空突起の外周にねじ込み又は弾性嵌合可能で、歯ブラシの柄を挿入可能な孔を有するキャップとを備え、
前記中空突起を前記開口に又は前記開口容易形成部を開いて嵌挿させた前記飛沫吸着部材を、前記肩部と前記キャップとで挟持するようにしたことを特徴とする歯ブラシ保持具。
【請求項４】
請求項１から３のいずれか一項に記載の歯ブラシ保持具に装着する飛沫吸着部材であって、
人の口を覆い得る大きさを有し、少なくとも使用時に前記人の口と対向する側の面が吸水性又は保水性を有する材料からなり、中央部に前記握り部材の前記飛沫吸着部材保持部を嵌挿させる開口、あるいは切込み又はミシン目による開口容易形成部を有することを特徴とする飛沫吸着部材。
【考案の詳細な説明】
【技術分野】
【０００１】  この考案は、歯ブラシ保持具及び歯磨き中に口内から飛散する飛沫を吸着する飛沫吸着部材に関する。
【背景技術】
【０００２】  歯磨きは、歯ブラシのブラシ部に歯磨剤を付け、その柄を片手で握り、ブラシ部を口内に入れて歯や歯茎をこすって磨く。その歯磨き中に、唾液と歯磨剤とが混ざった飛沫が口内から飛散して、手や衣服を汚したり、近くに居る人にかかって感染症に感染する恐れが生じたりする。
そのため、従来から種々の提案がなされており、例えば特許文献１には、歯ブラシの柄に漏斗を着脱自在に嵌着して、歯ブラシの柄と漏斗の朝顔部との間に液受けを形成することが開示されている。【０００３】  また、特許文献２には、歯ブラシの柄の中間部に口内残渣液遮断ガードを取り付けて、歯磨き中に口から溢れて柄へ伝い流れ出た残渣液と飛散り残渣液を直接下方へ垂れ流して、衣類の濡れを抑止することが開示されている。
さらに、特許文献３には、鏡の前で歯磨きをしている時に、鏡に向かって飛散する歯磨剤と唾液を遮断する遮蔽板に、歯ブラシの柄を脱着可能にする挿入部を設けた歯磨き飛沫防止具が開示されている。
【先行技術文献】
【特許文献】
【０００４】
【特許文献１】特開２００３−３４８号公報
【特許文献２】特開２０１７−２０９４６９号公報
【特許文献３】特開２０２０−１１０１７号公報
【考案の概要】
【考案が解決しようとする課題】
【０００５】  しかしながら、このような従来提案されているものは、いずれも歯磨き中に口内から飛散する飛沫を捕捉する効果は少なく、飛散する飛沫の一部が口内残渣液遮断ガードや遮蔽板に付着したとしても、その表面を下方に流れて滴下することになる。
また、上記漏斗、口内残渣液遮断ガードや遮蔽板は、歯ブラシの柄を貫通させてその柄に取り付けているだけなので、その位置決め及び安定性が悪く、使い勝手がよくないという問題もあった。【０００６】  この考案は、これらの問題を解決するためになされたものであり、歯磨き中に口内から飛散する飛沫を効率よく捕捉でき、且つ使い勝手がよい歯ブラシ保持具及び飛沫吸着部材を提供することを目的とする。
【課題を解決するための手段】
【０００７】  こ考案よる歯ブラシ保持具は、人の口を覆い得る大きさを有し、少なくとも使用時に人の口と対向する側の面が吸水性又は保水性を有する材料からなり、中央部に開口、あるいは切込み又はミシン目による開口容易形成部を有する飛沫吸着部材と、一端部に、その飛沫吸着部材の上記開口に又は上記開口容易形成部を開いて嵌挿させ、該飛沫吸着部材を着脱可能に保持する飛沫吸着部材保持部を備えると共に、歯ブラシの柄を挿通可能で柔軟な筒状の握り部材とからなることを特徴とする。【０００８】  上記飛沫吸着部材は、少なくとも使用時に人の口と対向する側の面が吸水性を有する紙、不織布、布、薄板、あるいは上記面に粗面加工が施された樹脂シート等の保水性素材からなるとよい。
上記飛沫吸着部材保持部は、上握り部材の上記一端部を形成する肩部と、該肩部の外周より小さい外周を有する中空突起と、該中空突起の外周にねじ込み又は弾性嵌合可能で、歯ブラシの柄を挿入可能な孔を有するキャップとを備え、上記中空突起を上記開口に又は上記開口容易形成部を開いて嵌挿させた上記飛沫吸着部材を、上記肩部と上記キャップとで挟持するように構成るとよい。【０００９】  この考案による飛沫吸着部材は、上記歯ブラシ保持具に装着する飛沫吸着部材であって、人の口を覆い得る大きさを有し、少なくとも使用時に人の口と対向する側の面が吸水性又は保水性を有する材料からなり、中央部に上記握り部材の上記飛沫吸着部材保持部を嵌挿させる開口、あるいは切込み又はミシン目による開口容易形成部を有することを特徴とする。
【考案の効果】
【００１０】  この考案による歯ブラシ保持具は、歯磨き中に口内から飛散する飛沫を効率よく捕捉でき、且つ歯磨き時に歯ブラシと飛沫吸着部材とを所望の位置にしっかりと保持できて使い勝手がよい。また、この考案による飛沫吸着部材は、少なくとも使用時に人の口と対向する側の面が吸水性又は保水性を有する材料からなるので、口内から飛散する飛沫を確実に捕捉し、下方に垂れ流すようなことはない。
【図面の簡単な説明】
【００１１】
【図１】この考案の一実施形態である歯ブラシ保持具を歯ブラシに装着した状態を示す側面図である。
【図２】同じくその長手方向に沿う断面図である。
【図３】同じくその歯ブラシ保持具のみの正面図である。
【図４】この考案による飛沫吸着部材の異なる形状例を示す正面図である。
【図５】この考案による中央部に開口容易形成部を有する飛沫吸着部材の異なる例を示す正面図である。
【図６】この考案による持ち手片を有する飛沫吸着部材の例を示す側面図である。
【図７】図６に示した飛沫吸着部材を使用した歯ブラシ保持具を歯ブラシに装着した状態を示す図１と同様な側面図である。
【考案を実施するための形態】
【００１２】  以下、図面を参照してこの考案の実施形態について説明する。
まず、図１から図３を参照して、この考案による歯ブラシ保持具の一実施形態を説明する。図１はその歯ブラシ保持具を歯ブラシに装着した状態を示す側面図、図２はその長手方向に沿う断面図、図３はその歯ブラシ保持具のみの正面図である。
【００１３】  この歯ブラシ保持具１は、飛沫吸着部材２と握り部材１１とからなる。その飛沫吸着部材２は、人の口を覆い得る大きさを有し、少なくとも使用時に人の口と対向する側の面（対面側の面）２１が吸水性又は保水性を有する材料からなり、中央部に開口２２を有する。
握り部材１１は、一端部に、飛沫吸着部材２の開口２２に嵌挿させて該飛沫吸着部材２を着脱可能に保持する飛沫吸着部材保持部１２を備えると共に、歯ブラシ３の柄３１を挿通可能であり、軟性樹脂等の柔軟な材料で筒状に形成されている。歯ブラシ３の先端部にはブラシ部３２を備えている。
【００１４】  飛沫吸着部材２は、少なくとも使用時に人の口と対向する側の面（対面側の面）２１が吸水性を有する紙、不織布、布、薄板、あるいは上記面に粗面加工が施された樹脂シート等の保水性素材からなるとよい。不織布や布等からなる場合は、糊加工などを施して、形状を維持できる剛性を持たせるのが望ましい。
【００１５】  飛沫吸着部材保持部１２は、上握り部材１１の一端部を形成する肩部１３と、その肩部１３の外周より小さい外周を有する中空突起１４と、その中空突起１４の外周にねじ込み又は弾性嵌合可能で、歯ブラシ３の柄３１を挿入可能な孔１５ａを有するキャップ１５とを備えている。そして、その中空突起１４を開口２２に嵌挿させた飛沫吸着部材２を、肩部１３とキャップ１５とで挟持するように構成する。キャップ１５の孔１５ａは、市販の各種歯ブラシの柄が容易に挿入できる大きさ及び形状に形成する。
【００１６】  キャップ１５も幾分弾性を有する樹脂等で形成するとよく、中空突起１４の外周面に雄ねじを、キャップ１５の内周面に雌ねじを形成してねじ込み式にするか、溝と突起又は突条によるクリック嵌合、あるいは摩擦嵌合等の弾性嵌合によって中空突起１４に着脱可能に固定する。
【００１７】  肩部１３の端面を若干凹面に形成し、キャップの環状後端面を若干凸面に形成しておけば、肩部１３とキャップ１５とで飛沫吸着部材２の開口２２の周辺部を挟持したときに、図１及び図２に示すように飛沫吸着部材２が若干傘状に湾曲した形状になり、飛沫を捕捉し易くなる。しかし、これは必須ではなく、飛沫吸着部材２を平面状のまま取り付けてもよい。
【００１８】  このように構成した歯ブラシ保持具１に、キャップ１５の孔１５ａから中空突起１４の中空部を通して、歯ブラシ３の柄３１を挿通させて、図１及び図２に示すように歯ブラシ３を使い易い位置に保持する。
そして、使用者が握り部材１１を手で握れば、握り部材１１は柔軟な筒状で後端が開放されているので、容易に変形して歯ブラシ３の柄３１も押さえることができ、飛沫吸着部材保持部１２に保持した飛沫吸着部材２と歯ブラシ３とを、所望の位置に確実に保持することができる。
【００１９】  その状態で、歯ブラシ３のブラシ部３２に歯磨剤を付けて口の中に入れ、握り部材１１を握った手を動かせば歯磨きを行うことができる。
そのとき口内から飛散する唾液と歯磨剤とが混ざった飛沫の殆どが、飛沫吸着部材２の口と対向する側の面２１に受け止められ捕捉される。飛沫吸着部材２の少なくとも口と対向する側の面２１は吸水性又は保水性を有する材料からなるので、捕捉された飛沫は飛沫吸着部材２に吸着されるか保留され、下方に流れて滴下するようなことはない。
【００２０】  歯磨き中は、歯ブラシ３と飛沫吸着部材２とを所望の位置にしっかりと保持することができるので使い勝手がよい。
使用後は、歯ブラシ保持具１からキャップ１５を外して飛沫吸着部材２を離脱させて廃棄し、次に使用する際には新しい飛沫吸着部材２を装着すれば、きわめて衛生的である。
【００２１】  したがって、この考案による歯ブラシ保持具を使用すれば、口内から飛散する飛沫を拡散させることなく、歯磨きを衛生的に行うことができる。特に病院や介護施設あるいは家庭などにおいて、病人や被介護者の歯磨きを看護師や介護士あるいは家族などが補助して行う場合に、病人や被介護者の口から飛散する飛沫の拡散を防止し、新型コロナウイルス等の感染リスクを低下させることができる。
【００２２】  上述した飛沫吸着部材２が、この考案による飛沫吸着部材の一実施形態である。
図４は、この考案による飛沫吸着部材２の異なる形状例を示す正面図である。（ａ）は円形、（ｂ）は楕円形、（ｃ）は角にアールを付けた長方形の外形を有する。そして、これらの各飛沫吸着部材２はいずれも人の口を覆い得る大きさを有し、少なくとも使用時に人の口と対向する側の面（対面側の面）が吸水性又は保水性を有する材料からなり、中央部に握り部材１１の飛沫吸着部材保持部１２を嵌挿させる開口２２を有する。飛沫吸着部材２の外形はこれらの例に限らず、種々の形状に形成するこができる。
【００２３】  図５は、この考案による中央部に開口容易形成部を有する飛沫吸着部材２の異なる例を示す正面図である。（ａ）は×形の切込み２３による開口容易形成部を、（ｂ）は○形と×形のミシン目２４による開口容易形成部を、（ｃ）は×形の切込み２３と○形のミシン目２４による開口容易形成部をそれぞれ有する例である。
これらの切込み２３又はミシン目２４による開口容易形成部は、前述した握り部材１１の飛沫吸着部材保持部１２を構成する中空突起１４を飛沫吸着部材２の中央部に嵌挿させる際に、容易に押し曲げて開く（開口を形成する）ことができる。
【００２４】  開口容易形成部を形成する切込み２３及びミシン目２４の形状や数及び組み合わせは任意であり、飛沫吸着部材２の中央部に、握り部材１１の飛沫吸着部材保持部１２を嵌挿させるための開口を容易に形成できればよい。飛沫吸着部材２の外形は円形又は楕円形に限らず、種々の形状に形成するこができる。
これらの飛沫吸着部材２は、歯ブラシ保持具１の一部として握り部材１１とセットにして、あるいは補給用消耗品として単独で提供することができる。
【００２５】  図６は、この考案による持ち手片を有する飛沫吸着部材の例を示す側面図であり、図７は、図６に示した飛沫吸着部材を使用した歯ブラシ保持具を歯ブラシに装着した状態を示す図１と同様な側面図である。
【００２６】  この実施形態の飛沫吸着部材２′は、中心線Ｃ−Ｃを中心とする開口２２あるいは切込み２３又はミシン目２４による開口容易形成部の周辺部でその径方向に対向する裏面に、一対の持ち手片２５を設けている。この持ち手片２５は、紙片や布片又は紐あるいは樹脂シート片等で形成され、一端部を飛沫吸着部材２′の裏面に貼り付けている。その他の構成は前述した実施形態の飛沫吸着部材２と同様である。
【００２７】  この飛沫吸着部材２′を握り部材１１に装着すると、図７に示すように一対の持ち手片２５が握り部材１１の外周上に延びる。そこで、その一対の持ち手片２５の外側から握り部材１１を握れば、親指と人指し指で持ち手片２５を押さえ、飛沫吸着部材２′をより安定して確実に保持することができる。
【００２８】  また、握り部材１１を使用せずに、この飛沫吸着部材２′に歯ブラシ３の柄３１を挿通させるだけでも、一対の持ち手片２５と共に柄３１を握ることによって、歯ブラシ３の所望の位置に飛沫吸着部材２′を保持して歯磨きを行うことが可能になる。
【００２９】  なお、飛沫吸着部材２′に切込み２３又ミシン目２４による開口容易形成部を設けた場合は、そこに歯ブラシ３の柄３１を挿通させ得るだけの最小の開口を形成することができ、飛沫吸着部材２′のぐらつきを少なくすることができる。
持ち手片２５の数は１本でもよいし、３本以上でもよい。
【００３０】  この考案は上述した実施形態に限定されるものではなく、実用新案登録請求の範囲の各請求項で規定した範囲内で、種々の変更や追加あるいは省略又は組み合わせ等が可能である。
【符号の説明】
【００３１】１：歯ブラシ保持具    ２、２′：飛沫吸着部材    ３：歯ブラシ
１１：握り部材    １２：飛沫吸着部材保持部    １３：肩部    １４：中空突起
１５：キャップ    １５ａ：孔
２１：飛沫吸着部材における使用時に人の口と対向する側の面（対面側の面）
２２：開口    ２３：切込み    ２４：ミシン目    ２５：持ち手片
【図１】
0003233730.tif 000003
【図２】
0003233730.tif 000004
【図３】
0003233730.tif 000005
【図４】
0003233730.tif 000006
【図５】
0003233730.tif 000007
【図６】
0003233730.tif 000008
【図７】
0003233730.tif 000009